(57)【要約】  【課題】  少ない通信容量で大量のコンテンツの中から好みのコンテンツを簡単に選定して再生することができるコンテンツ再生システムを提供する。  【解決手段】  音楽再生装置は、携帯端末装置１０乃至１３から通信回線を介して送信されるプレイリスト２１を受信し、受信したプレイリスト２１に付随する曲のジャンル、アーティスト、曲名、日時、回数に基づいて再生を行う曲の優先度の判定を行い、判定した優先度に基づいて蓄積されている曲を選曲し、選曲された曲をスピーカから出力する。【選択図】  図１
2006098516.tif 000002
【特許請求の範囲】
【請求項１】
携帯端末装置および前記携帯端末装置との間で通信回線を介して接続されるコンテンツ再生装置とを備えたコンテンツ再生システムであって、
前記携帯端末装置は、少なくともコンテンツに付加されている再生情報を記憶する記憶手段と、前記通信回線を介して前記再生情報を送信する送信手段とを有し、
前記コンテンツ再生装置は、少なくとも１つ以上の携帯端末装置から前記通信回線を介して送信される前記再生情報を受信する受信手段と、受信した前記再生情報に基づいて再生を行うコンテンツの優先度の判定を行う判定手段と、前記判定手段が判定した優先度に基づいて蓄積されているコンテンツを選定する選定手段と、前記選定手段によって選定されたコンテンツを出力する出力手段とを備えたことを特徴とするコンテンツ再生システム。
【請求項２】
前記選定手段は、前記判定手段が再生情報の優先度の差異がないものと判定した場合には、前記再生情報に基づいて蓄積されたコンテンツの中からランダムに選定を行うことを特徴とする請求項１に記載のコンテンツ再生システム。
【請求項３】
前記選定手段は、前記判定手段が判定した再生情報の優先度に基づいて、コンテンツとして蓄積された曲の選曲を行うことを特徴とする請求項１または請求項２記載のコンテンツ再生システム。
【請求項４】
前記選定手段は、前記判定手段が判定した再生情報の優先度に基づいて、コンテンツとして蓄積されたラジオ局またはテレビ放送局の選局を行うことを特徴とする請求項１乃至請求項３の何れか１項に記載のコンテンツ再生システム。
【請求項５】
前記判定手段は、優先度の判定を行う際に、対象となる選択項目の組み合わせおよび優先順位を設定する入力手段を備えて構成されることを特徴とする請求項１乃至請求項４の何れか１項に記載のコンテンツ再生システム。
【発明の詳細な説明】
【技術分野】
【０００１】
本発明はコンテンツ再生システムに関し、例えば、多数の音楽、ラジオ、テレビ放送等のコンテンツの中から好みのコンテンツの選定を行うようにしたコンテンツ再生システムに関するものである。
【背景技術】
【０００２】
従来の音楽再生装置は、ＣＤ（Compact Disc）、ＭＤ（Mini Disc）等の記憶媒体をプレーヤに装着することで好みの音楽を再生出力していた。ところで、近時、こうした音楽再生装置は、大容量の半導体メモリ、記憶可能な光ディスク装置、あるいは磁気ディスク装置等を用いることにより、大量の音楽データを蓄積することが可能となってきている。
【０００３】
このような音楽再生装置において大量の音楽データの中から好みの音楽データを再生出力するためには、大量の音楽の中から好みの音楽を明示的に選曲し、再生出力する必要があるため、選曲作業が面倒となり、直ちに好みの曲を得ることができない。
【０００４】
このような不具合を解消し、車内で音楽を再生する音響機器として、乗員が携帯する携帯音響機器と、自動車に設置される車載音響機器とを備え、前記携帯音響機器は、音楽データを保有する音楽データ保有手段と、無線通信を介した前記音楽データを送信する送信手段とを有し、前記車載音響機器は、携帯音響機器から無線通信を介して送信される前記音楽データを受信する受信手段と、受信手段で受信した前記音楽データを記憶する記憶手段と、記憶手段に記憶して前記音楽データを音楽として車内で再生する車載スピーカとを備えて構成されている。
【０００５】
このように構成されることで、携帯音響機器が保有する音楽データを車載音響機器に転送することで好みの音楽を簡単に再生出力することができる（例えば、特許文献１参照）。
【特許文献１】特開２００１―２９７５２７号公報
【発明の開示】
【発明が解決しようとする課題】
【０００６】
しかしながら、特許文献１に示す従来の音響機器にあっては、携帯音響機器から音楽データの転送を車載音響機器に行うようになっているため、転送容量が増大してしまうという問題があった。また、音楽データを送っているため、車載音響機器に大量の音楽が蓄積されている場合には、有効ではない技術であり、大量の音楽データの中から簡単に好みの音楽を選択することができることも必要である。
【０００７】
本発明は、従来の問題を解決するためになされたもので、少ない通信容量で大量のコンテンツの中から好みのコンテンツを簡単に選定して再生することができるコンテンツ再生システムを提供することを目的とする。
【課題を解決するための手段】
【０００８】
本発明のコンテンツ再生システムは、携帯端末装置および前記携帯端末装置との間で通信回線を介して接続されるコンテンツ再生装置とを備えたコンテンツ再生システムであって、前記携帯端末装置は、少なくともコンテンツに付加されている再生情報を記憶する記憶手段と、前記通信回線を介して前記再生情報を送信する送信手段とを有し、前記コンテンツ再生装置は、少なくとも１つ以上の携帯端末装置から前記通信回線を介して送信される前記再生情報を受信する受信手段と、受信した前記再生情報に基づいて再生を行うコンテンツの優先度の判定を行う判定手段と、前記判定手段が判定した優先度に基づいて蓄積されているコンテンツを選定する選定手段と、前記選定手段によって選定されたコンテンツを出力する出力手段とを備えて構成されている。
【０００９】
この構成により、携帯端末装置からコンテンツ再生装置にコンテンツの再生情報のみを転送するだけで、コンテンツ再生装置に蓄積されているコンテンツを再生することができ、コンテンツそのものを転送するものに比べて通信容量を少なくすることができる。また、コンテンツ再生装置が再生情報の優先度に応じてコンテンツを再生するので、蓄積された大量のコンテンツの中から視聴者の好みに合ったコンテンツの選定・再生を行うことができる。
【００１０】
また、本発明のコンテンツ再生システムの前記選定手段は、前記判定手段が再生情報の優先度の差異がないものと判定した場合には、前記再生情報に基づいて蓄積されたコンテンツの中からランダムに選定を行うことができるように構成されている。
【００１１】
この構成により、コンテンツそのものを転送することなく、携帯端末装置からコンテンツ再生装置に転送した再生情報に基づいて蓄積されたコンテンツの中からランダムに選定を行うことができる。
【００１２】
また、本発明のコンテンツ再生システムの前記選定手段は、前記判定手段が判定した再生情報の優先度に基づいて、コンテンツとして蓄積された曲の選曲を行うことができるように構成されている。
【００１３】
この構成により、コンテンツそのものを転送することなく、携帯端末装置から転送した再生情報の優先度に基づいて曲の選曲を行うことができ、視聴者の好みに合った曲を選曲することができる。
【００１４】
また、本発明のコンテンツ再生システムの前記選定手段は、前記判定手段が判定した再生情報の優先度に基づいて、コンテンツとして蓄積されたラジオ局またはテレビ放送局の選局を行うことができるように構成されている。
【００１５】
この構成により、コンテンツそのものを転送することなく、携帯端末装置から転送した再生情報の優先度に基づいてラジオ局、テレビ放送局の選局を行うことができ、視聴者の好みに合ったラジオ局、テレビ放送局を選局することができる。
【００１６】
また、本発明のコンテンツ再生システムの前記判定手段は、優先度の判定を行う際に、対象となる選択項目の組み合わせおよび優先順位を設定する入力手段を備えて構成されている。
【００１７】
この構成により、判定手段に入力手段を備えることで、入力手段から優先してコンテンツを再生するための条件を選択することができ、また、対象となる選択項目の組み合わせおよび優先順位を選定することができるので、より好みを反映させたコンテンツの選定を行うことができる。
【発明の効果】
【００１８】
以上説明したように、本発明は、少ない通信容量で大量のコンテンツの中から好みのコンテンツを簡単に選定して再生することができる再生システムを提供することができる。
【発明を実施するための最良の形態】
【００１９】
以下、本発明の実施の形態について、図面を用いて説明する。
【００２０】
図１乃至図１４は本発明に係るコンテンツ再生システムを示す図であり、コンテンツ再生システムとして曲を再生する再生システムを例に説明する。
【００２１】
図１において、再生システムは音楽再生装置（コンテンツ再生装置）１と自動車に搭乗する乗員が所持する携帯端末装置１０、１１、１２、１３とによって構築されており、音楽再生装置１と携帯端末装置１０、１１、１２、１３との間で通信を行うようになっている。
【００２２】
また、音楽再生装置１は、受信部２、再生優先順位判定項目設定部３、再生優先順位判定部４、曲目選択部５、曲目再生部６および出力部７を含んで構成されている。
【００２３】
受信部２はブルートゥース等のように小型、廉価でかつ、認証可能な無線通信を行うものから構成されており、携帯端末装置１０乃至１３が一定の通信エリアに入って来たときに携帯端末装置１０乃至１３との間で通信を行う。
【００２４】
再生優先順位判定部４は、携帯端末装置１０乃至１３から再生する曲に付加された図２に示すプレイリスト（再生情報）２１の優先度を設定する。曲目選択部５は、再生優先順位判定項目設定部３により判定された優先順位に基づいて、ＣＤ、ＭＤ、ＤＶＤ等の記憶媒体に蓄積された再生する曲目を選択するようになっている。
【００２５】
曲目再生部６は、記憶媒体に記憶された曲を再生する再生手段を備えており、出力部７は曲目再生部６によって再生された曲を出力するスピーカから構成されている。
【００２６】
また、再生優先順位判定項目選択部３は、曲を再生する前、または、音楽再生装置１を動作したときに、例えば、図３に示すようなタッチパネル等のような入力部から構成されており、選曲する曲のジャンル情報やアーティスト名等の各要素を入力するものである。
【００２７】
また、携帯端末装置１０乃至１３は、プレイリスト２１を記憶するメモリ１４および通信回線を介してメモリ１４に記憶されたプレイリスト２１を送信する送信部１５とを備えている。
【００２８】
本発明の実施の形態では、メモリ１４が記憶手段を構成し、送信部１５が送信手段を構成している。また、受信部２が受信手段を構成し、再生優先順位判定部４が判定手段を構成し、曲目選択部５が選定手段を構成し、曲目再生部６および出力部７が出力手段を構成している。
【００２９】
次に、図４乃至図１４に基づいて選曲方法を説明する。
【００３０】
まず、音楽再生装置１は自動車に乗員が搭乗し、音楽再生装置１の電源がオンになった時点で受信部２によりブルートゥースによる通信を行い、４人の乗員がそれぞれ所持する携帯端末装置１０乃至１３からプレイリスト２１を自動的に取得する。
【００３１】
このプレイリスト２１は図４に示すように、パソコン２２を利用し、パソコン２２に格納されている音楽データ２３に基づいて作成が行われ、携帯端末装置１０乃至１３に転送されるものである。なお、パソコン２２ではなく、音楽再生装置１で作成して携帯端末装置１０乃至１３に転送しても良い。このプレイリスト２１は、図２に示すように、曲のジャンル、アーティスト、曲名、日時、回数から構成された曲に付随する情報が記憶されており、この情報は音楽データ２３に基づいて作成されている。
【００３２】
この際に、音楽再生装置１は図５のフローチャートに示すプレイリスト取得処理を実行する。図５において、このプレイリスト取得処理は、外部にプレイリスト２１が取得可能な携帯端末装置１０乃至１３が存在するか否かの判定を行い（ステップＳ１）、外部にプレイリスト２１を取得可能な携帯端末装置１０乃至１３が存在する場合は、プレイリスト２１の取得を行う（ステップＳ２）。
【００３３】
また、外部にプレイリスト２１の取得可能な機器が存在しない場合は、従来の音楽再生装置と同様に操作パネルを用いて選曲する再生動作を行う（ステップＳ３）。
【００３４】
次に、図６のフローチャートに基づいて再生優先順位判定処理について説明する。なお、図６の選曲処理は再生優先順位判定部４によって実行されるものである。
【００３５】
図６において、まず、複数の携帯端末装置１０乃至１３から取得したプレイリスト２１のジャンル情報による再生優先度の判定を行う（ステップＳ１１）。
【００３６】
この再生優先度の判定は、図７に示すジャンル優先度決定処理に基づいて行う。図７において、ジャンル優先度決定処理は、取得したプレイリスト２１の比較を行い、プレイリスト２１に含まれる曲の一覧の中でジャンル同士の一致があるかの判定を行う（ステップＳ２１）。
【００３７】
この判定の方法としては、図８に示すように多数決方式で優先度を決定するための決定リスト２４に基づいて行う。この決定リスト２４では、ジャンル１、ジャンル４、ジャンル２、ジャンル３の順で優先度が低くなっている。この際に、同じジャンルと認識された曲の数が一番多いジャンルに属する曲に対して一律に高い優先度の付加を行う。以降、ジャンルが一致した曲の多い順番に優先度付けを行う（ステップＳ２２）。この時、一致するジャンルが無い場合は、優先度付けを行わない。
【００３８】
このジャンル優先度決定処理が終了すると、図６に示すように、絞込みにより同じジャンルに属する曲の中でも優先度を付加するかどうか否かの判定を行う（ステップＳ１２）。ステップＳ１２で同一ジャンル内において絞込みを行う場合には、アーティスト名情報に一致があるかの判定を行う（ステップＳ１３）。
【００３９】
ステップＳ１３では、図９に示すようにアーティスト名優先度決定処理を行う。図９において、携帯端末装置１０乃至１３から取得したプレイリスト２１の比較を行い、プレイリスト２１に含まれる曲の一覧の中でアーティスト名同士に一致があるかの判定を行う（ステップＳ３１）。この判定の方法としては、図１０に示すように多数決方式で優先度を決定する決定リスト２５に基づいて優先度を決定する。
【００４０】
ステップＳ３１での判定の結果に基づきアーティスト名に一致がある場合は、アーティスト名の一致が多い曲に対して順番に優先度付けを行う（ステップＳ３２）。図１０に示す決定リスト２５では、アーティストａ、アーティストｅ、アーティストｄ、アーティストｆ、アーティストｂ、アーティストｃの順で優先度が低くなっている。また、ステップＳ３１においてアーティスト名で一致するものが無い場合は、優先度付けを行わない。
【００４１】
図６において、ステップＳ１３の処理が終了すると、同じアーティストの曲の中でさらに絞込むかどうかの判定を行う（ステップＳ１４）。ステップＳ１４でさらに絞込みを行う場合には曲名による一致があるかの判定を行う（ステップＳ１５）。
【００４２】
ステップＳ１５では、図１１に示す曲名優先度決定処理を行う。この曲名優先度決定処理では携帯端末装置１０乃至１３から取得したプレイリスト２１の比較を行い、曲名に一致があるかの判定を行う（ステップＳ４１）。
【００４３】
この判定の方法としては、図１２に示すように多数決方式で優先度を決定する決定リスト２６に基づいて処理を行う。ステップＳ４１で判定の結果に基づき一致がある場合は、一致が多い順番に優先度付けを行う（ステップＳ４２）。図１２に示す決定リスト２６では曲名５、曲名１、曲名２、曲名３、曲名４、曲名６の順で優先度が低くなっている。また、ステップＳ４１において曲名で一致するものが無い場合は、優先度付けを行わない。
【００４４】
次いで、図６に示すように、絞込まれた曲名に対してさらに絞込むかどうかの判定を行う（ステップＳ１６）。ここで、さらに絞込みを行う場合には、登録された日時情報に基づき優先度の判定を行う（ステップＳ１７）。
【００４５】
ステップＳ１７ではプレイリスト２１がもつ登録された日時情報からの経過時間に基づいて、図１３に示すように登録された日時からの経過時間の短いものに対しては、再生優先度を上げる優先度付けを行う。
【００４６】
次いで、絞込まれた曲に対してさらに絞込むかどうかの判定を行う（ステップＳ１８）。ステップＳ１８でさらに絞込みを行う場合には、再生された回数に基づいて優先度の判定を行う（ステップＳ１９）。ステップＳ１９では、プレイリスト２１が持つ再生回数の情報に基づいて、再生された回数が多い曲に対して再生優先度を上げる優先度付けを行う。
【００４７】
以上の図６に示す再生優先順位判定処理が終了すると、曲目選択部５は、図１４に示す再生曲順決定処理を実行する。図１４において、まず、携帯端末装置１０乃至１３から取得したプレイリスト２１を判定した結果の優先度が異なっているか否かの判定を行う（ステップＳ５１）。
【００４８】
ステップＳ５１の判定の結果、優先度が異なっている場合には、優先度順に並び替えを行う（ステップＳ５２）。また、ステップＳ５１の判定の結果、優先度が等しい場合にはランダムに並び替えを行う（ステップＳ５３）。
【００４９】
次いで、並び替えを行ったプレイリスト２１の一番優先順位の高い曲と蓄積されている曲に一致あるか否かの比較を行う（ステップＳ５４）。ステップＳ５４で並び替えを行ったプレイリスト２１の一番優先順位の高い曲と蓄積されている曲に一致がある場合には、一致した曲から順番に再生を行う曲目を決定し、曲目の再生出力を行う（ステップＳ５５）。
【００５０】
また、ステップＳ５４で、並び替えを行ったプレイリスト２１の一番優先順位の高い曲と蓄積されている曲に一致がない場合には、次に優先順位の高い曲との比較を順番に行う（ステップＳ５６）。この際、プレイリスト２１に含まれる曲と蓄積されている曲に一致がない場合には、再生優先順位判定条件の上位に位置するジャンルが一致する曲の再生出力を行う。ジャンルが一致する曲がない場合には通常の音楽再生装置と同様の動作を行う。
【００５１】
このように本実施の形態では、複数の携帯端末装置１０乃至１３から音楽再生装置１にプレイリスト２１のみを転送するだけで、音楽再生装置１に蓄積されている曲を再生することができ、音楽データそのものを転送するものに比べて通信容量を少なくすることができる。
【００５２】
また、携帯端末装置１０乃至１３から取得したプレイリスト２１に付加された情報に基づいて再生する曲に優先順位を付け、自動車に搭乗した人数が複数の場合には、複数の搭乗者の好みが一致する選曲を自動的に行って再生出力することができる。また、搭乗者が運転手だけの場合には、再生回数の多い順番に並び替えを行うことができ、より現在の好みに一致した選曲を自動的に行って再生出力を行うことができる。
【００５３】
また、本実施の形態では、プレイリスト２１の情報に基づいて優先度の差異がない場合には、プレイリスト２１の情報に基づいて蓄積された曲の中からランダムに選定を行うので、音楽データそのものを転送することなく、携帯端末装置１０乃至１３から音楽再生装置１に転送した再生情報に基づいて蓄積された曲の中からランダムに選曲を行うことができる。
【００５４】
なお、一実施の形態として、車載された音楽再生装置１について記載したが、本発明を限定するものではなく、例えば、家庭において各家族がもつ携帯端末装置のプレイリストの情報に基づいて家族の好みに合わせ選曲し、再生出力を行うようにしても良い。また、屋外において多人数がもつ携帯端末装置のプレイリスト２１の情報に基づいて、好みに合わせた選曲を行い、選曲された曲を再生出力するようにしても良い。
【００５５】
また、本実施の形態では、携帯端末装置１０乃至１３から入力されたプレイリスト２１や再生優先順位判定項目設定部３から入力されたプレイリスト２１の再生条件として、ジャンル、アーティスト、曲名、日時、回数を用いているが、これらの条件に限定されるものではなく、お気に入り度やアルバム名等を用いても良い。
【００５６】
また、本発明の実施の形態では、曲を再生する音楽再生装置１によって曲を再生しているが、本発明を限定するものではなく、ラジオ局やテレビ放送局を選定するラジオ受信機、テレビ等に適用しても良い。このようにすれば、ラジオ放送やテレビ放送に関するコンテンツそのものを転送することなく、携帯端末装置１０乃至１３から転送したプレイリスト２１の情報の優先度に基づいてラジオ局、テレビ放送局の選局を行うことができ、視聴者の好みに合ったラジオ局、テレビ放送局を選局することができる。
【００５７】
また、優先度の判定を行う際に、対象となる選択項目の組み合わせおよび優先順位を設定する際に、入力部を備える再生優先順位判定項目設定部３で条件を入力して、優先度の判定を行うようにしても良い。このようにすれば、優先度の判定の対象となるプレイリスト２１の情報に基づいて、優先して曲を再生するための条件を入力部から選択することができ、より好みを反映させた選曲を行うことができる。
【産業上の利用可能性】
【００５８】
以上のように、本発明に係るコンテンツ再生システムは、少ない通信容量で大量のコンテンツの中から好みのコンテンツを簡単に選定して再生することができるという効果を有し、多数の音楽、ラジオ、テレビ放送等のコンテンツの中から好みのコンテンツの選定を行うようにしたコンテンツ再生システム等として有用である。
【図面の簡単な説明】
【００５９】
【図１】本発明の一実施の形態に係るコンテンツ再生システムとしての音楽再生システムの概略図
【図２】一実施の形態のプレイリストを示す図
【図３】一実施の形態の優先順位判定項目選択メニュー画面を示す図
【図４】一実施の形態のプレイリスト入力の動作説明図
【図５】一実施の形態におけるプレイリスト取得処理のフローチャート
【図６】一実施の形態における再生優先順位判定処理のフローチャート
【図７】一実施の形態におけるジャンル優先度決定処理のフローチャート
【図８】一実施の形態におけるジャンルによって優先順位を決定するリストを示す図
【図９】一実施の形態におけるアーティスト名優先度決定処理のフローチャート
【図１０】一実施の形態におけるアーティスト名によって優先順位を決定するリストを示す図
【図１１】一実施の形態における曲名優先度決定処理のフローチャート
【図１２】一実施の形態における曲名によって優先順位を決定するリストを示す図
【図１３】一実施の形態における登録された日時情報と優先度の関係を示す図
【図１４】一実施の形態における再生曲順決定処理のフローチャート
【符号の説明】
【００６０】
１  音楽再生装置（コンテンツ再生装置）
２  受信部（受信手段）
４  再生優先順位判定部（判定手段）
５  曲目選択部（選定手段）
６  曲目再生部（出力手段）
７  出力部（出力手段）
１０、１１、１２、１３  携帯端末装置
１４  メモリ（記憶手段）
１５  送信部（送信手段）
【図１】
2006098516.tif 000003
【図２】
2006098516.tif 000004
【図３】
2006098516.tif 000005
【図４】
2006098516.tif 000006
【図５】
2006098516.tif 000007
【図６】
2006098516.tif 000008
【図７】
2006098516.tif 000009
【図８】
2006098516.tif 000010
【図９】
2006098516.tif 000011
【図１０】
2006098516.tif 000012
【図１１】
2006098516.tif 000013
【図１２】
2006098516.tif 000014
【図１３】
2006098516.tif 000015
【図１４】
2006098516.tif 000016